(57)【要約】      （修正有）【課題】爪掛を容易に着脱できる草履の提供。【解決手段】草履の両サイドから先端にかけての数箇所に磁石を埋め込み、爪掛の両サイドから先端にかけての数箇所に磁石と吸着可能な金属を取り付け、磁力により草履と爪掛の着脱を可能にした。【選択図】図１
2005279209.tif 000002
【特許請求の範囲】
【請求項１】
草履の先端２とその両サイド３・４に磁石を埋め込み、磁力により爪掛の取り外し、取り替えが可能な草履。
【請求項２】
爪掛の先端５とその両サイド６・７に磁石と接合可能な金属を取り付け、磁力により草履からの取り外し、取替えが可能な爪掛。
【発明の詳細な説明】
【技術分野】
【０００１】  本発明は和装用草履と爪掛の改良に関するものである。
【背景技術】
【０００２】  従来の爪掛は草履と固定され一体化しているものしかない。その為、屋外や雨天時には防寒あるいは雨避けとして必要だが、屋内や晴天時ではその必要性がなくなる。
【発明の開示】
【発明が解決しようとする課題】
【０００３】  上記で述べた従来の物では、爪掛付き草履と爪掛の付いていない草履の二足が必要となり、どちらか一足の草履ではＴＰＯに対応できない。【０００４】  本発明はこの様な従来の欠点を解決しようとするものであり、草履と爪掛の着脱を可能にすることを目的とする。
【課題を解決するための手段】
【０００５】  上記で目的を達成するために、草履の先端２とその両サイド３・４に磁石を埋め込む。【０００６】  爪掛の先端５とその両サイド６・７に磁石と接合可能な金属を取り付ける。【０００７】  上記の課題解決手段による作用は、草履と爪掛夫々の先端とその両サイドに金属を取り付けることにより、草履と爪掛の着脱を可能にする。
【発明の効果】
【０００８】  本発明は前記した様に、草履と爪掛の取り外し、取り替えができ、一足の草履で二通りの使用が可能となる。
また、爪掛の携帯も可能となる為、天気やＴＰＯに即座に対応することができる。
【発明を実施するための最良の形態】
【０００９】  図１、図２に示す実施は、草履の先端２とその両サイド３・４に、爪掛の先端５とその両サイド６・７を合わせ、磁力により固定する。
【図面の簡単な説明】
【００１０】
【図１】  本発明の実施形態を示す外観図（上面）
【図２】  本発明の実施形態を示す外観図（側面）
【図３】  本発明の草履の外観図（上面）
【図４】  本発明の草履の外観図（側面）
【図５】  本発明の爪掛の外観図（上面）
【図６】  本発明の爪掛の外観図（側面）
【符号の説明】
【００１１】  １．爪掛  （＊つまかわと同義語とする）
２．草履先端  磁石
３．草履右側面  磁石
４．草履左側面  磁石
５．爪掛先端  磁石と接合可能な金属
６．爪掛右側面  磁石と接合可能な金属
７．爪掛左側面  磁石と接合可能な金属
【図１】
2005279209.tif 000003
【図２】
2005279209.tif 000004
【図３】
2005279209.tif 000005
【図４】
2005279209.tif 000006
【図５】
2005279209.tif 000007
【図６】
2005279209.tif 000008
【手続補正書】
【提出日】平成16年8月19日(2004.8.19)
【手続補正１】
【補正対象書類名】特許請求の範囲
【補正対象項目名】全文
【補正方法】変更
【補正の内容】
【特許請求の範囲】
【請求項１】
草履の両サイドから先端にかけての数箇所に磁石又は磁石と吸着可能な金属を埋め込み、磁力により爪掛の取り付け、取り外しが可能な草履。
【請求項２】
爪掛の両サイドから先端にかけての数箇所に磁石又は磁石と吸着可能な金属を取り付け、磁力により草履との取り付け、取り外しが可能な爪掛。
【請求項３】
特許請求項１の草履と、特許請求項２の爪掛から構成され、磁力により草履と爪掛が着脱可能に設けられたことを特徴とする爪掛け付き草履。
【手続補正２】
【補正対象書類名】明細書
【補正対象項目名】全文
【補正方法】変更
【補正の内容】
【発明の詳細な説明】
【技術分野】
【０００１】本発明は和装用草履と爪掛の改良に関するものである。
【背景技術】
【０００２】従来の草履用爪掛は草履と固定され一体化しているものしかない。その為、屋外や雨天時には防寒あるいは雨避けとして必要だが、屋内や晴天時ではその必要性がなくなる。
【発明の開示】
【発明が解決しようとする課題】
【０００３】上記で述べた従来の物では、爪掛付き草履と爪掛の付いていない草履の二足が必要となり、どちらか一足の草履ではＴＰＯに対応できない。【０００４】本発明はこの様な従来の欠点を解決しようとするものであり、草履と爪掛の着脱を可能にすることを目的とする。
【課題を解決するための手段】
【０００５】上記で目的を達成するために、草履の両サイドから先端にかけての数箇所に磁石又は磁石と吸着可能な金属を埋め込む。【０００６】爪掛の両サイドから先端にかけての数箇所に磁石又は磁石と吸着可能な金属を取り付ける。【０００７】上記の課題解決手段による作用は、草履と爪掛  夫々の草履の両サイドから先端にかけての数箇所に磁石又は磁石と吸着可能な金属を取り付けることことで、磁力により草履と爪掛の着脱を可能にする。
【発明の効果】
【０００８】本発明は前記した様に、草履と爪掛の取り付け、取り外しができ、一足の草履で用途に合わせた使用が可能となる。【０００９】草履の芯に埋め込んだ磁石又は磁石と吸着可能な金属は、その表面を生地等で覆っているため外観からは磁石又は金属は見えない。従って、通常の草履と同じ様に使用することができる。【００１０】爪掛の携帯も可能となる為、天気やＴＰＯに即座に対応することができる。
【発明を実施するための最良の形態】
【００１１】本発明は、図３の草履と図５の爪掛により構成されている。草履は図３、４に示すように、草履の両サイドから先端にかけての数箇所に磁石又は磁石と吸着可能な金属を埋め込んでいる。爪掛は図５、６に示すように、爪掛の両サイドから先端にかけての数箇所に磁石又は磁石と吸着可能な金属を取り付けている。本発明は、以上の構造によりなり、磁力により草履と爪掛の着脱が可能である。
【図面の簡単な説明】
【００１２】
【図１】  本発明の草履と爪掛を取り付けた形態を示す外観図（上面）
【図２】  本発明の草履と爪掛を取り付けた形態を示す外観図（側面）
【図３】  本発明の草履内部に、磁石又は磁石と吸着可能な金属を埋め込んだ草履の外観図（上面）
【図４】  本発明の草履内部に、磁石又は磁石と吸着可能な金属を埋め込んだ草履の外観図（側面）
【図５】  本発明の爪掛に、磁石又は磁石と吸着可能な金属を取り付けた爪掛の外観図（上面）
【図６】  本発明の爪掛に、磁石又は磁石と吸着可能な金属を取り付けた爪掛の外観図（側面）
【符号の説明】
【００１３】１．▲１▼爪掛  （＊つまかわと同義語とする）を示す
２．▲２▼は草履の内部に、磁石又は磁石と吸着可能な金属を埋め込む範囲を示す
３．▲３▼は爪掛の内側に、磁石又は磁石と吸着可能な金属を取り付ける範囲を示す
【手続補正３】
【補正対象書類名】図面
【補正対象項目名】全図
【補正方法】変更
【補正の内容】
【図１】
2005279209.tif 000009
【図２】
2005279209.tif 000010
【図３】
2005279209.tif 000011
【図４】
2005279209.tif 000012
【図５】
2005279209.tif 000013
【図６】
2005279209.tif 000014